(57)【要約】【課題】組み立てに糊付けが不要であり、かつ周囲を固定する袋等を伴わず、単独で使用することが可能であるカップ等を保持する保持具を提供することを目的とする。【解決手段】保持具１０は、弾性を有する板材からなる断面が矩形の筒状であり、物品を保持可能な保持部を有する長方形の天板１２と、天板１２の辺２２に接する第一側壁１４と、天板１２の辺２２に対向する辺２４に接する第二側壁１６と、第一側壁１４の天板１２に接する辺２２に対向する辺２６に接する第一底板１８と、第二側壁１６の天板１２に接する辺２４に対向する辺２８に接する第二底板２０と、を備え、第一底板１８が、第一側壁２６に接する辺に対向する辺３０に複数の凸部４２を有し、第二底板２０が、第二側壁１６に接する辺２８に対向する辺３２に複数の凹部４４を有し、複数の凸部４２のそれぞれが複数の凹部４４のそれぞれに圧縮した状態で嵌め込まれる。【選択図】図２
2018016359.tif 000002
【特許請求の範囲】
【請求項１】
中空部が形成されるように板材を折り曲げ、前記板材に設けられた第一連結部及び第二連結部を連結することを条件として組立状態となり、
前記組立状態において天面側に前記中空部に連通する差込孔を形成し、前記差込孔に物品を差し込むことにより前記物品を保持可能であり、
前記第一連結部及び前記第二連結部の一方において突出するように設けられた突出部と、前記突出部に対応して前記第一連結部及び前記第二連結部の他方に形成された嵌込部とを有し、前記突出部を前記嵌込部に嵌め込むことにより前記第一連結部及び前記第二連結部が連結された状態になり、
前記板材が弾性を有するものであり、
前記嵌込部及び前記突出部のいずれか一方又は双方を弾性変形させつつ嵌め込み可能であることを特徴とする保持具。
【請求項２】
中空部が形成されるように板材を折り曲げ、前記板材に設けられた第一連結部及び第二連結部を連結することを条件として組立状態となり、
前記組立状態において天面側に前記中空部に連通する差込孔を形成し、前記差込孔に物品を差し込むことにより前記物品を保持可能であり、
前記第一連結部及び前記第二連結部の一方において突出するように設けられた突出部と、前記突出部に対応して前記第一連結部及び前記第二連結部の他方に形成された嵌込部とを有し、前記突出部を前記嵌込部に嵌め込むことにより前記第一連結部及び前記第二連結部が連結された状態になり、
前記板材が弾性を有するものであり、
前記嵌込部よりも前記突出部が大きいことを特徴とする保持具。
【請求項３】
中空部が形成されるように板材を折り曲げ、前記板材に設けられた第一連結部及び第二連結部を連結することを条件として組立状態となり、
前記組立状態において天面側に前記中空部に連通する差込孔を形成し、前記差込孔に物品を差し込むことにより前記物品を保持可能であり、
前記第一連結部及び前記第二連結部の一方において突出するように設けられた突出部と、前記突出部に対応して前記第一連結部及び前記第二連結部の他方に形成された嵌込部とを有し、前記突出部を前記嵌込部に嵌め込むことにより前記第一連結部及び前記第二連結部が連結された状態になり、
前記突出部が、前記第一連結部あるいは前記第二連結部の基端側よりも先端側において幅が大きくなるように形成された部位を有し、
前記嵌込部が、前記突出部に対応する形状に形成されていることを特徴とする保持具。
【請求項４】
前記組立状態において、前記第一連結部の端部及び前記第二連結部の端部を突き合わせた状態で連結されることを特徴とする請求項１〜３のいずれかに記載の保持具。
【請求項５】
前記突出部が、前記第一連結部あるいは前記第二連結部の基端側に位置する第一突出部と、前記第一突出部よりも先端側に位置する第二突出部とを有し、
前記嵌込部が、前記第一突出部が嵌め込まれる第一嵌込部と、前記第二突出部が嵌め込まれる第二嵌込部とを有し、
前記第一突出部の幅よりも前記第二突出部の幅が大きく、
前記第一嵌込部の幅よりも前記第二嵌込部の幅が大きいことを特徴とする請求項１〜４のいずれかに記載の保持具。
【請求項６】
前記突出部が、前記第一連結部あるいは前記第二連結部の基端側に位置する第一突出部と、前記第一突出部よりも先端側に位置する第二突出部とを有し、
前記嵌込部が、前記第一突出部が嵌め込まれる第一嵌込部と、前記第二突出部が嵌め込まれる第二嵌込部とを有し、
前記第一突出部と前記第二突出部との境界部、及び前記第一嵌込部と前記第二嵌込部の境界部が段状に形成されていることを特徴とする請求項１〜５のいずれかに記載の保持具。
【請求項７】
前記突出部が、前記第一連結部あるいは前記第二連結部の基端側よりも先端側において拡幅することによりＴ字型になった部分を有し、
前記嵌込部が、前記突出部に対応してＴ字型に切り欠かれた部分を有することを特徴とする請求項１〜６のいずれかに記載の保持具。
【請求項８】
前記突出部及び前記嵌込部の組み合わせにより形成される連結構造部が、前記第一連結部及び前記第二連結部の長手方向に複数形成されることを特徴とする請求項１〜７のいずれかに記載の保持具。
【請求項９】
前記突出部及び前記嵌込部の組み合わせにより形成される連結構造部が、底面側に形成されることを特徴とする請求項１〜８のいずれかに記載の保持具。
【請求項１０】
前記差込孔の直下において、前記第一連結部及び前記第二連結部が連結されることを特徴とする請求項１〜９のいずれかに記載の保持具。
【請求項１１】
前記組立状態とすることにより天面及び側面が形成され、
前記天面及び前記側面により形成される稜線部分に、前記中空部に向けて窪んだ窪み、あるいは切り欠きを形成できることを特徴とする請求項１〜１０のいずれかに記載の保持具。
【請求項１２】
前記組立状態とすることにより天面に続く第一側面と、前記天面に続き前記第一側面に対向する第二側面が形成され、
前記天面及び前記第一側面により形成される稜線部分、及び前記天面及び前記第二側面により形成される稜線部分の双方に、前記中空部に向けて窪んだ窪み、あるいは切り欠きを形成できることを特徴とする請求項１〜１１のいずれかに記載の保持具。
【請求項１３】
前記天面側に切り込みが設けられており、前記切り込みを起こすことにより、カラトリーレストを形成可能であることを特徴とする請求項１〜１２のいずれかに記載の保持具。
【請求項１４】
前記板材が、段ボールであることを特徴とする請求項１〜１３のいずれかに記載の保持具。
【請求項１５】
請求項１〜１４のいずれかに記載の保持具と、
物品を収容可能な物品収容部を備えたトレーとを有し、
前記物品収容部に前記保持具を嵌め込むことにより、他の物品を配置可能な物品配置領域を形成可能であることを特徴とする運搬具。
【請求項１６】
前記トレーの幅方向一方側に前記保持具を配置し、他方側に前記物品配置領域を区画可能であることを特徴とする請求項１５に記載の運搬具。
【請求項１７】
前記トレーの幅が、想定される使用者の肩幅を基準として規定されることを特徴とする請求項１５又は１６に記載の運搬具。
【請求項１８】
前記トレーが段ボールにより形成されることを特徴とする請求項１５〜１７のいずれかに記載の運搬具。
【発明の詳細な説明】
【技術分野】
【０００１】
本発明は、カップ等の物品を保持する保持具、及び保持具を備えた運搬具に関する。
【背景技術】
【０００２】
従来、例えばお祭りや縁日の屋台や、遊園地等の娯楽施設等では、使い捨て可能な容器に収容された軽食や飲料が販売されている。また、これらの容器をまとめて保持できるように、簡単な構成で使い捨て可能なトレーが提供されている。
【０００３】
例えば、特許文献１には、カップを倒れにくくするため、カップを保持する保持具を備える紙製のトレーが開示されている。また、トレーに載せて使用可能なカップの保持具として、特許文献２には、扁平状に折り畳み可能であり、四角筒状に立体化可能である紙製のホルダーが開示されている。
【０００４】
また、特許文献３には、カップの保持具である紙製のキャリアとして、包装袋に入れて使用するものが開示されている。
【先行技術文献】
【特許文献】
【０００５】
【特許文献１】特開２０１５−７４４５８号公報
【特許文献２】特開２０１６−４３７９４号公報
【特許文献３】特開２０１５−５８９５６号公報
【発明の概要】
【発明が解決しようとする課題】
【０００６】
上述の使い捨て可能なトレーやホルダーは、大量に使用されるため、広げた状態または折り畳んだ状態で運搬や保管が可能であり、かつ使用の現場で簡単に組み立てられることが好ましい。
【０００７】
しかし、特許文献１に開示されたトレーは組み立てに糊付けが必要であり、使用される現場で組み立てることは困難である。また、特許文献２に開示されたホルダーは、折り畳んだ状態で運搬や保管は可能であるものの、あらかじめ糊付けしておくことが必要であり、コストがかさむ。
【０００８】
一方、特許文献３に開示されたキャリアは、糊付けをすることなく組み立てることができるものの、２つの底部シートは突き合わされただけであるため、包装袋に収容し、周囲を固定した状態でないと崩れてしまい、使用することができない。
【０００９】
本発明は、これらの問題に鑑みてなされたものであり、糊付け等の作業を行わなくても容易かつしっかりと組み立て可能な保持具、及び当該保持具を用いた運搬具の提供を目的とする。
【課題を解決するための手段】
【００１０】
上述した課題を解決すべく提供される本発明の保持具は、中空部が形成されるように板材を折り曲げ、前記板材に設けられた第一連結部及び第二連結部を連結することを条件として組立状態となり、前記組立状態において天面側に前記中空部に連通する差込孔を形成し、前記差込孔に物品を差し込むことにより前記物品を保持可能であり、前記第一連結部及び前記第二連結部の一方において突出するように設けられた突出部と、前記突出部に対応して前記第一連結部及び前記第二連結部の他方に形成された嵌込部とを有し、前記突出部を前記嵌込部に嵌め込むことにより前記第一連結部及び前記第二連結部が連結された状態になり、前記板材が弾性を有するものであり、前記嵌込部及び前記突出部のいずれか一方又は双方を弾性変形させつつ前記嵌込部に前記突出部を嵌め込み可能であることを特徴とする。
【００１１】
本発明の保持具は、板材に設けられた第一連結部及び第二連結部のいずれか一方に設けられた突出部を他方に設けられた嵌込部に嵌め込むことにより組立状態とし、天面側に設けられた差込孔に物品を差し込んで保持することができる。本発明の保持具では、板材として弾性を有するものが用いられ、例えば嵌込部に対して突出部を圧縮して嵌め込むなどして、嵌込部及び突出部のいずれか一方又は双方を弾性変形させつつ嵌込部に突出部を嵌め込み可能とされている。そのため、嵌込部に対して突出部を嵌め込んだ後は、圧縮されていた弾性変形した部分が復元しようとするため、嵌込部と突出部とがしっかり係合して連結された状態になる。よって、本発明の保持具は、嵌込部と突出部とを連結することでしっかりと組み立てられた状態になる。そのため、使用者が保持具を容易に組み立てることができる。従って、本発明によれば、例えばお祭りやバーベキューなどの野外活動など様々な場面において手早く組み立てて使用できると共に、組立状態をしっかりと維持可能な保持具を提供できる。
【００１２】
また、本発明の保持具は、中空部が形成されるように板材を折り曲げ、前記板材に設けられた第一連結部及び第二連結部を連結することを条件として組立状態となり、前記組立状態において天面側に前記中空部に連通する差込孔を形成し、前記差込孔に物品を差し込むことにより前記物品を保持可能であり、前記第一連結部及び前記第二連結部の一方において突出するように設けられた突出部と、前記突出部に対応して前記第一連結部及び前記第二連結部の他方に形成された嵌込部とを有し、前記突出部を前記嵌込部に嵌め込むことにより前記第一連結部及び前記第二連結部が連結された状態になり、前記板材が弾性を有するものであり、前記嵌込部よりも前記突出部が大きいことを特徴とする。
【００１３】
本発明の保持具は、板材の第一連結部及び第二連結部のうちいずれか一方に設けられた突出部を他方に設けられた嵌込部に嵌め込むことにより組立状態とすることができる。本発明の保持具では、嵌込部よりも突出部が大きいものの、板材として弾性を有するものが用いられている。そのため、本発明の保持具は、突出部を圧縮しつつ嵌込部に対して突出部を嵌め込むことにより第一連結部及び第二連結部を連結し、組立状態とすることができる。また、嵌込部に対して突出部を嵌め込んだ後は、圧縮されていた突出部が弾性力により復元しようとする。そのため、本発明の保持具は、組立状態とすると嵌込部に対して突出部がしっかり係合して連結された状態になる。従って、本発明の保持具は、使用者が保持具を容易に組み立て可能であると共に、組立状態をしっかりと維持可能な保持具を提供できる。これにより、使用者は、例えばお祭りやバーベキューなどの野外活動など様々な場面において手早く組み立て、安心して使用することができる。
【００１４】
本発明の保持具は、中空部が形成されるように板材を折り曲げ、前記板材に設けられた第一連結部及び第二連結部を連結することを条件として組立状態となり、前記組立状態において天面側に前記中空部に連通する差込孔を形成し、前記差込孔に物品を差し込むことにより前記物品を保持可能であり、前記第一連結部及び前記第二連結部の一方において突出するように設けられた突出部と、前記突出部に対応して前記第一連結部及び前記第二連結部の他方に形成された嵌込部とを有し、前記突出部を前記嵌込部に嵌め込むことにより前記第一連結部及び前記第二連結部が連結された状態になり、前記突出部が、前記第一連結部あるいは前記第二連結部の基端側よりも先端側において幅が大きくなるように形成された部位を有し、前記嵌込部が、前記突出部に対応する形状に形成されていることを特徴とするものである。
【００１５】
本発明の保持具は、第一連結部及び第二連結部を連結するために設けられた突出部に基端側よりも先端側において幅が大きくなるように形成された部位が設けられると共に、嵌込部に突出部に対応する形状に形成された部位がある。そのため、いったん突出部を嵌込部に嵌め込んで保持具を組み立てると、突出部が先端側から基端側にスライドして嵌込部から抜けてしまうようなことが起こらず、組立状態をしっかりと維持できる。従って、本発明によれば、例えばお祭りやバーベキューなどの野外活動など様々な場面において手早く組み立て可能であると共に、組立状態をしっかりと維持可能な保持具を提供できる。
【００１６】
上述した本発明の保持具は、前記組立状態において、前記第一連結部の端部及び前記第二連結部の端部を突き合わせた状態で連結されるものであることが望ましい。
【００１７】
かかる構成によれば、嵌込部及び突出部の位置決め精度が高くなり、より一層確実に第一連結部及び第二連結部を連結することができる。
【００１８】
ここで、嵌込部に嵌め込まれた突出部が抜けてしまい、第一連結部と第二連結部の連結が解除されてしまうケースとして、折り曲げて組み立てた板材がもとの板材の状態に戻ろうとする復元力などの影響により、嵌込部内において突出部が先端側から基端側に移動して抜け落ちてしまうようなケースが考えられる。そのため、このような不具合を抑制するためには、嵌込部内において突出部が移動しにくい構造であることが望ましい。
【００１９】
そこで、かかる知見に基づいて提供される本発明の保持具は、前記突出部が、前記第一連結部あるいは前記第二連結部の基端側に位置する第一突出部と、前記第一突出部よりも先端側に位置する第二突出部とを有し、前記嵌込部が、前記第一突出部が嵌め込まれる第一嵌込部と、前記第二突出部が嵌め込まれる第二嵌込部とを有し、前記第一突出部の幅よりも前記第二突出部の幅が大きく、前記第一嵌込部の幅よりも前記第二嵌込部の幅が大きいことを特徴とするものである。
【００２０】
本発明の保持具では、突出部が第一突出部及び第二突出部を有し、先端側にある第二突出部の幅の方が基端側にある第一突出部の幅よりも幅が大きくなっている。これに対応して、嵌込部についても、第二突出部が嵌め込まれる第一嵌込部の幅よりも、第二突出部が嵌め込まれる第二嵌込部の幅が大きくなっている。そのため、嵌込部内において突出部が先端側から基端側に移動しようとしても、第二突出部が嵌込部の第一嵌込部などに引っかかり移動が抑制される。これにより、嵌込部に嵌め込んだ突出部が抜け落ち、第一連結部と第二連結部の連結が解除されてしまうのを抑制できる。従って、使用者は、より一層安定して保持具を使用することができる。
【００２１】
同様の知見に基づいて提供される本発明の保持具は、前記突出部が、前記第一連結部あるいは前記第二連結部の基端側に位置する第一突出部と、前記第一突出部よりも先端側に位置する第二突出部とを有し、前記嵌込部が、前記第一突出部が嵌め込まれる第一嵌込部と、前記第二突出部が嵌め込まれる第二嵌込部とを有し、前記第一突出部と前記第二突出部との境界部、及び前記第一嵌込部と前記第二嵌込部の境界部が段状に形成されていることを特徴とするものである。
【００２２】
かかる構成によれば、第一突出部と第二突出部との境界部に形成された段状の部分と、第一嵌込部と第二嵌込部との境界部に形成された段状の部分とが引っかかる。これにより、嵌込部に嵌め込んだ突出部が抜け落ち、第一連結部と第二連結部の連結が解除されてしまうのを抑制できる。従って、使用者は、より一層安定して保持具を使用することができる。
【００２３】
また、同様の知見に基づいて提供される本発明の保持具は、前記突出部が、前記第一連結部あるいは前記第二連結部の基端側よりも先端側において拡幅することによりＴ字型になった部分を有し、前記嵌込部が、前記突出部に対応してＴ字型に切り欠かれた部分を有することを特徴とするものである。
【００２４】
本発明の保持具では、嵌込部内において突出部が先端側から基端側に移動しようとしても、突出部が嵌込部において引っかかり移動が抑制される。これにより、突出部が嵌込部から抜け落ち、第一連結部と第二連結部の連結が解除されてしまうのを抑制できる。従って、使用者は、より一層安定して保持具を使用することができる。
【００２５】
また、上述した本発明の保持具は、前記突出部及び前記嵌込部の組み合わせにより形成される連結構造部が、前記第一連結部及び前記第二連結部の長手方向に複数形成されたものであることが望ましい。
【００２６】
かかる構成によれば、第一連結部及び第二連結部を長手方向において複数箇所で連結することができる。これにより、第一連結部と第二連結部とをより強固かつ確実に連結することが可能となる。従って、使用者は、より一層安定して保持具を使用することができる。
【００２７】
上述した本発明の保持具は、前記突出部及び前記嵌込部の組み合わせにより形成される連結構造部が、底面側に形成されるものであることが望ましい。
【００２８】
かかる構成によれば、トレーや袋などに保持具を設置して使用している状態において、連結構造部が露出するのを抑制できる。これにより、見栄えが良くなると共に、連結構造部に物や人の手等が触れることにより予期せぬ力が作用して連結が解除されてしまうのを抑制する等の効果が期待できる。
【００２９】
上述した本発明の保持具は、前記差込孔の直下において、前記第一連結部及び前記第二連結部が連結されるものであることが望ましい。
【００３０】
かかる構成とした場合、差込孔に物品を差し込んで使用している状態において、物品による荷重が連結構造部に作用する。これにより、連結構造部における連結が解除されてしまうのをより一層確実に抑制できる。
【００３１】
上述した本発明の保持具は、前記組立状態とすることにより天面及び側面が形成され、前記天面及び前記側面により形成される稜線部分に、前記中空部に向けて窪んだ窪み、あるいは切り欠きを形成できるものであることが望ましい。
【００３２】
かかる構成によれば、例えばトレー等の上に保持具を載置して使用する際に、稜線部分に窪みあるいは切り欠きを形成することにより、窪みや切り欠きに箸やスプーン、フォーク等のカラトリー類（食器）の端部を載せることができる。すなわち、本発明の保持具においては、窪みや切り欠きを形成し、これをいわゆる箸置き等のようなカラトリーレストとして活用できる。そのため、本発明の保持具によれば、差込孔に差し込んだ物品に加え、カラトリー類も保持することができる。これにより、使用者は、例えばお祭りやバーベキューをはじめとする野外活動など様々な場面において、箸などのカラトリー類を衛生的に使用することができる。
【００３３】
また、同様の知見に基づいて提供される本発明の保持具は、前記天面側に切り込みが設けられており、前記切り込みを起こすことにより、カラトリーレストを形成可能なものである。
【００３４】
かかる構成によれば、差込孔に差し込んだ物品だけでなく、箸やスプーン、フォーク等のカラトリー類も保持することができる。これにより、例えばお祭りやバーベキューをあじめとする野外活動など様々な場面において、箸などのカラトリー類を衛生的に使用することができる。
【００３５】
上述した本発明の保持具は、前記板材が段ボールであることを特徴とするものであることが望ましい。
【００３６】
段ボールは、弾性を有するだけでなく、比較的柔軟に加工できる素材である。そのため、本発明の保持具は、段ボールの弾性を利用して突出部と嵌込部とをしっかりと連結することができるだけでなく、使用する現場において折り曲げ加工したり、突出部を嵌込部に嵌め込んだりする作業が比較的容易に行える。そのため、例えばお祭りやバーベキューをはじめるとする野外活動などの場面において、好適に利用できる。
【００３７】
また、板材として使用される段ボールは、上述した特性に留まらず、軽量であるなど様々なメリットを有する板材である。そのため、本発明の保持具は、例えばお祭りやバーベキューなどを行う場所への搬入に要する労力が少なくて済む。さらに、本発明の保持具を使用して飲食等を行う人が子供や幼児、女性、老人などであったとしても、飲食物等を持ち運ぶために軽快に使用できる。さらに、板材として段ボールを用いることにより、表面への印刷や装飾が容易にでき、場合によってはこの保持具を用いる使用者自身が絵や文字などを簡単に書き込むことができる。また、段ボールを板材として用いることにより、使用者は保持具を使い捨ての用具として気軽かつ衛生的に使用したり、リサイクルにより資源の有効利用に貢献したりすることが可能となる。
【００３８】
本発明の運搬具は、上述した本発明の保持具と、物品を収容可能な物品収容部を備えたトレーとを有し、前記物品収容部に前記保持具を嵌め込むことにより、他の物品を配置可能な物品配置領域を形成可能なものである。
【００３９】
本発明の運搬具は、上述した保持具をトレーに嵌め込んで使用するものであるため、例えばお祭りやバーベキューなどの野外活動など様々な場面において手早く組み立てて使用することができる。また、本発明の運搬具は、保持具を嵌め込んだ状態において物品配置領域が形成され、他の物品を配置することができる。そのため、本発明の運搬具によれば、保持具に保持する飲料などの物品だけでなく、例えば食品を入れた容器なども一緒に運搬することができる。従って、本発明の運搬具は、例えばお祭りやバーベキューをはじめとする野外活動などを楽しむために有効利用できる。
【００４０】
上述した本発明の運搬具は、前記トレーの幅方向一方側に前記保持具を配置し、他方側に前記物品配置領域を区画可能であるものであることが望ましい。
【００４１】
かかる構成によれば、例えば使用者の利き手側に物品配置領域が形成されるように保持具を配し、物品配置領域に食品を入れた容器をセットし、保持具に飲料などをセットして使用することができる。これにより、例えばお祭りやバーベキューが行われる場合のように飲料や食品を安定した状態で置く場所がない場面においても、飲料や食品などを保持することに気が取られることなく、飲食を楽しむことができる。
【００４２】
上述した本発明の運搬具は、前記トレーの幅が、想定される使用者の肩幅を基準として規定されるものであることが望ましい。
【００４３】
本発明の運搬具は、トレーの幅が使用者の肩幅を基準として規定されているため、お祭りのように人混みの中であっても、他人とぶつかるのを抑制できる。これにより、安定した状態で物品を運搬することができる。
【００４４】
上述した本発明の運搬具は、前記トレーが段ボールにより形成されるものであることが望ましい。
【００４５】
本発明の運搬具のようにトレーを段ボールで形成することにより、トレーの軽量化を図ることができる。そのため、本発明の運搬具は、子供や幼児、女性、老人などのように力の弱い人であっても、物品を持ち運ぶために軽快に使用できる。さらに、トレーを段ボールで形成することにより、トレーの表面への印刷や装飾が容易にできる。さらに、使用者自身が絵や文字などを簡単に書き込むことができる。また、トレーを段ボールで形成することにより、トレーを使い捨て用品として気軽かつ衛生的に使用することが可能となる。さらに、本発明によれば、トレーを回収してリサイクルすることにより、資源の有効利用に貢献することも可能となる。
【発明の効果】
【００４６】
本発明によれば、糊付け等の作業を行わなくても容易かつしっかりと組み立て可能な保持具、及び当該保持具を用いた運搬具を提供できる。
【図面の簡単な説明】
【００４７】
【図１】本発明の第一実施形態に係る運搬具及び保持具の使用状態を示す斜視図である。
【図２】保持具の組み立て状態を示す斜視図である。
【図３】図２に係る保持具の展開図である。
【図４】保持具を構成する凸部及び凹部の拡大図である。
【図５】図１に示した運搬具及び保持具の変形例を示す斜視図である。
【発明を実施するための形態】
【００４８】
以下、本発明の実施形態に係る保持具及び運搬具について、図面を参照しつつ説明する。
【００４９】
１．本発明の第一実施形態に係る保持具
図２は、本発明の第一実施形態に係る保持具を組み立てた状態の斜視図であり、図３は、図２に示す保持具の展開状態を示す図である。
【００５０】
図１に示すように、運搬具１は、保持具１０とトレー１００とを有する。運搬具１は、例えばお祭りやバーベキューをはじめとする野外活動などにおいて飲食物を持ち運び、飲食を楽しむために使用できるものである。
【００５１】
保持具１０は、図３に示すような形に加工された板材１１（段ボール）を組み立てることにより形成されるものである。保持具１０を組立状態とすると、図２に示すように断面が矩形であって筒状の外観形状となる。保持具１０は、天板１２（天面）、第一側壁１４、第二側壁１６、第一底板１８（底面）、および第二底板２０（底面）を備えており、これらの内側に中空部２５を有する。また、組立状態において天面をなす天板１２に中空部２５に連通する差込孔３４を形成し、差込孔３４にカップ６０などの物品を差し込んで保持可能とされている。
【００５２】
ここで、保持具１０を構成する板材１１について、さらに詳細に説明する。保持具１０を構成する板材１１は、弾性を有するものであり、本実施形態では段ボールが用いられている。段ボールには、平板状の表ライナー及び裏ライナーの間に、波形に形成された中しん（フルート）を挟み込んだ両面段ボールや、中しんの片面にだけライナーを貼り付けた片面段ボールの他、複両面ダンボールと呼ばれるものや、複々両面段ボールと呼ばれるものなど、様々な種類のものがある。板材１１は、いずれの種類の段ボールによって構成されても良いが、本実施形態では両面段ボールが用いられている。
【００５３】
また、板材１１は、図３に示すような展開図をなすように形成されている。板材１１には、保持具１０の天板１２、第一側壁１４、第二側壁１６、第一底板１８、および第二底板２０をなす部分が形成されている。また、各部の境界部分は、保持具１０の稜線２２，２４，２６，２８をなす部分である。稜線２２，２４，２６，２８をなす部分は、それぞれ略平行に設けられている。稜線２２，２４，２６，２８をなす部分には、容易かつ精度良く折り曲げ加工が可能なように、折り曲げ線や折り目が形成されている。
【００５４】
板材１１において天板１２をなす部分は、矩形（本実施形態では略長方形）の形状とされている。天板１２には、カップ６０などの物品を差し込むための差込孔３４が設けられている（図２参照）。差込孔３４はいくつ設けられていても良いが、本実施形態では天板１２の長手方向に二つ設けられている。
【００５５】
差込孔３４には、周の外側から内側に向けて突出するように形成された複数（例えば、本実施形態では大小それぞれ４つずつ）の羽根部４０を有する。羽根部４０は、片持ち状に形成されており、差込孔３４の周に沿って形成された折り曲げ線３６を介して先端側が自由に揺動可能とされている。また、羽根部４０は、周の外側から内側に向かって設けられた切り込み３８により、隣接する他の羽根部４０から分離されている。そのため、羽根部４０は、それぞれ独立的に揺動可能とされている。
【００５６】
差込孔３４にカップ６０を挿入すると、羽根部４０は折り曲げ線３６を支点として下方に屈曲（揺動）し、先端部がカップ６０の周囲に接した状態になる。羽根部４０が屈曲すると、段ボールがもつ弾性により羽根部４０に対して元の姿勢に戻ろうとする復元力が作用する。そのため、羽根部４０の先端部がカップ６０の表面にしっかりと接した状態になり、カップ６０が確実に保持された状態になる。
【００５７】
図２に示すように、本実施形態では、羽根部４０の長さが長いもの（大きいもの）と、短いもの（小さいもの）の２種類が、差込孔３４の周方向に交互に設けられている。このように、異なる長さの羽根部４０を設けた場合、カップ６０の周囲の異なる高さの部分に接するため、羽根部４０の長さが全て同じ場合と比べて安定してカップ６０を保持することができる。また、本実施形態では、同様の長さの羽根部４０がそれぞれ径方向に対向する位置に設けられている。すなわち、長さの長い羽根部４０同士が径方向に対向すると共に、長さの短い羽根部４０同士が径方向に対向するように設けられている。これにより、カップ６０が差込孔３４内において偏ることなく、安定して保持できる。
【００５８】
保持具１０において側面をなす第一側壁１４及び第二側壁１６は、それぞれ矩形（本実施形態では略長方形）で略同一の大きさ及び形状とされている。第一側壁１４は、天板１２をなす領域の一方側に設けられた稜線２２を介し、天板１２に隣接する位置に設けられている。第二側壁１６は、天板１２をなす領域の他方側（稜線２２とは反対側）に設けられた稜線２４を介し、天板１２に隣接する位置に設けられている。すなわち、第一側壁１４は天板１２と稜線２２を共有し、第二側壁１６は、天板１２と稜線２４を共有している。
【００５９】
保持具１０において底面をなす第一底板１８及び第二底板２０は、それぞれ稜線２６，２８を介して第一側壁１４及び第二側壁１６に隣接する位置に設けられている。すなわち、第一底板１８は第一側壁１４と稜線２６を共有し、第二側壁１６と稜線２８を共有している。保持具１０は、第一底板１８及び第二底板２０を連結することにより、組立状態とすることができる。
【００６０】
第一底板１８（第一連結部）は、第一側壁１４との境界をなす稜線２６とは反対側に端部３０を有する。第一底板１８の端部３０側には、複数（例えば、本実施形態では４個）の凸部４２（突出部）が設けられている。
【００６１】
凸部４２は、基端側（端部３０側）よりも先端側の方が幅（端部３０に沿う方向への長さ）が大きくなるように形成されている。本実施形態では、凸部４２は、端部３０側（基端側）に位置する第一突出部４２ａと、これよりも先端側に位置する第二突出部４２ｂとを備えたものとされている。また、第二突出部４２ｂは、第一突出部４２ａの先端側において、幅方向（端部３０に平行な方向）の両側に突き出るように形成されている。具体的には、凸部４２は、略Ｔ字型の外観形状を有するものとされている。すなわち、凸部４２は、Ｔ字の縦棒線に相当する部分が第一突出部４２ａとされており、Ｔ字の横棒線に相当する部分が第二突出部４２ｂとされている。第一突出部４２ａ及び第二突出部４２ｂは、それぞれ略矩形状とされている。凸部４２は、第一突出部４２ａと第二突出部４２ｂとの境界部が段状となるように形成されている。
【００６２】
第二底板２０（第二連結部）は、第二側壁１６との境界をなす稜線２８とは反対側に端部３２を有する。第二底板２０の端部３２側には、複数（例えば、本実施形態では４個）の凹部４４（嵌込部）が設けられている。凹部４４は、上述した第一底板１８の凸部４２に対応するように設けられている。凹部４４は、切り欠きにより形成されている。凹部４４は、第二底板２０の端部３２から稜線２８側に向けて退入するように形成されている。
【００６３】
凹部４４は、基端側（端部３２側）の部分よりも、前述した退入方向の先端側の方が幅（端部３２に沿う方向への長さ）が大きくなるように形成されている。本実施形態では、凹部４４は、上述した凸部４２の第一突出部４２ａが嵌め込まれる第一嵌込部４４ａと、第二突出部４２ｂが嵌め込まれる第二嵌込部４４ｂとを備えたものとされている。また、第二嵌込部４４ｂは、第一嵌込部４４ａに対して幅方向（端部３２に平行な方向）の両側に突き出るように形成されている。具体的には、凹部４４は、略Ｔ字型の外観形状を有するものとされている。すなわち、凹部４４は、Ｔ字の縦棒線に相当する部分が第一嵌込部４４ａとされており、Ｔ字の横棒線に相当する部分が第二嵌込部４４ｂとされている。第一嵌込部４４ａ及び第二嵌込部４４ｂは、それぞれ略矩形状とされている。凹部４４は、第一嵌込部４４ａと第二嵌込部４４ｂとの境界部が段状となるように形成されている。
【００６４】
上述した凸部４２及び凹部４４は、第一底板１８及び第二底板２０を連結する連結構造部４５を構成する。そのため、連結構造部４５は、保持具１０の組立状態において第一底板１８及び第二底板２０の長手方向に複数箇所（本実施形態では４箇所）形成される。また、第一底板１８及び第二底板２０は、略同一の大きさとされている。そのため、凸部４２を凹部４４に嵌め込んで第一底板１８及び第二底板２０を連結すると、図２に示すように、天面側に設けられた差込孔３４，３４の直下において第一底板１８及び第二底板２０が連結されている。すなわち、差込孔３４，３４の直下において端部３０，３２が突き合わせられた状態になる。
【００６５】
ここで、上述した凸部４２は、対応する凹部４４よりも大きい。凸部４２及び凹部４４の大きさの差は、凸部４２及び凹部４４のいずれか一方又は双方を圧縮することで凸部４２を凹部４４に嵌め込み可能な程度とされている。図４は、凸部および凹部の寸法の一例を示す図であり、同図（ａ）は凸部、同図（ｂ）は凹部を示す。凸部４２を構成する第一突出部４２ａは、端部３０に平行な方向の幅が１８．０ｍｍ、端部３０に垂直な方向の長さが１５．０ｍｍである。第二突出部４２ｂは、端部３０に平行な方向の幅が２４．０ｍｍ、端部３０に垂直な方向の長さが１０．０ｍｍである。第二突出部４２ｂは、第一突出部４２ａに対して、端部３０に平行な方向の両側にそれぞれ３．０ｍｍ突き出ている。
【００６６】
これに対し、凹部４４を構成する第一嵌込部４４ａは、端部３２に平行な方向の幅が１９．０ｍｍ、端部３２に垂直な方向の長さが１５．５ｍｍである。また、第二嵌込部４４ｂは、端部３２に平行な方向の幅が２４．０ｍｍ、端部３２に垂直な方向の長さが９．０ｍｍである。第二嵌込部４４ｂは、第一嵌込部４４ａに対して、端部３２に平行な方向の両側にそれぞれ２．５ｍｍ突き出ている。
【００６７】
保持具１０を組み立てる際には、図３に示すように展開状態にある板材１１を稜線２２、稜線２４、稜線２６および稜線２８に相当する部分で折り曲げると共に、凸部４２のそれぞれを対応する位置に設けられた凹部４４に嵌め込む。上述したように凸部４２は凹部４４よりも僅かに大きいため、凸部４２を凹部４４に嵌め込もうとすると、凸部４２あるいは凹部４４のいずれか一方又は双方が弾性変形し、やがて凸部４２が凹部４４に嵌まり込む。凹部４４に凸部４２が嵌まり込むと、段ボール製の板材１１自身の弾性力により弾性変形した部分が元の大きさに戻ろうとする。これにより凸部４２と凹部４４との間に作用する弾性力により、凸部４２と凹部４４とがしっかりと固定された状態になる。
【００６８】
凸部４２や凹部４４などの各部を構成する上で、板材１１をなす段ボールの目の向き（目方向）は強度等を考慮して設定することができる。ここで、段ボールは、断面形状が波形となるように屈曲した中しん（フルート）を有し、中しんに形成された波形の凹凸が延びる方向が紙幅方向（目方向）、波形の凹凸が並行に並ぶ方向が流れ方向と呼ばれる。段ボールは、紙幅方向の方が紙幅方向（目方向）よりも折れにくい特性を有する。すなわち、紙幅方向（目方向）への圧縮強度の方が、流れ方向への圧縮強度よりも高い。その一方で、紙幅方向（目方向）の方が、流れ方向よりも弾性変形しやすい。そのため、このような特徴を考慮し、凸部４２や凹部４４などの各部が形成されることが望ましい。
【００６９】
具体的には、凸部４２や凹部４４の幅方向に流れ方向が向き、長さ方向（基端側から先端側に向かう方向）に紙幅方向（目方向）が向くようにすれば、凸部４２を幅方向に圧縮して凹部４４内に嵌め込んだ後に段ボールの復元力が作用しやすく、凸部４２が凹部４４内にしっかり嵌まり込んだ状態になる。また、凸部４２に対して長さ方向（基端側から先端側に向かう方向）に引っ張り力が作用したとしても、凸部４２及び凹部４４において幅方向に出っ張った部分において引っ張り力をしっかりと受け止め、凸部４２が凹部４４から抜け落ちないように保持する効果が期待できる。
【００７０】
また、凸部４２や凹部４４の長さ方向に流れ方向が向き、幅方向に紙幅方向（目方向）が向くようにした場合は、凸部４２を凹部４４内に嵌め込むことで、段ボールの復元力が凸部４２や凹部４４の長さ方向に作用しやすい。そのため、凸部４２及び凹部４４において幅方向に出っ張った部分において復元力が作用し、凸部４２が凹部４４から抜け落ちないように保持する効果が期待できる。また、凸部４２に対して長さ方向（基端側から先端側に向かう方向）に引っ張り力が作用した場合としても、凸部４２の第二突出部４２ｂ等が長さ方向に弾性変形することで引っ張り力を緩衝できる。さらに、凸部４２に対して長さ方向に引っ張り力が作用しても、第二突出部４２ｂが型崩れしにくく、凸部４２が凹部４４から抜け落ちないように保持する効果が期待できる。
【００７１】
また、図２や図３では図示せず省略されているが、図１に示すように、天板１２と第一側壁１４との境界をなす稜線２２とその周辺、および天板１２と第二側壁１６との境界をなす稜線２４とその周辺には、それぞれ切り欠き４６が設けられている。切り欠き４６は、稜線２２，２４の長手方向中央側の領域に二つずつ設けられている。切り欠き４６，４６は、ぞれぞれ天板１２に二つ設けられた差込孔３４，３４の間の位置に設けられている。切り欠き４６は、例えばフォーク６６やスプーン、箸等の端部をのせるために用いることができ、いわゆる箸置きやカラトリーレストのように使用できる。
【００７２】
トレー１００は、使用状態において上方に向けて開口した有底の物品収容部１０２を有し、物品収容部１０２に物品を搭載可能な盆状のものである。トレー１００は、物品収容部１０２に上述した保持具１０を嵌め込んで使用可能とされている。トレー１００は、開口形状が略矩形とされている。また、トレー１００は、開口領域の縦方向の長さが上述した保持具１０の長手方向（稜線２２等の延びる方向）の長さと略同一とされている。そのため、トレー１００に保持具１０を嵌め込むと、トレー１００の内周面に保持具１０の長手方向両端部が接触し、保持具１０が保持された状態になる。そのため、トレー１００に保持具１０を嵌め込むことにより、残りの領域を物品を配置するための領域（物品配置領域１０４）として区画することができる。
【００７３】
また、トレー１００は、開口領域の横方向の長さが保持具１０の短手方向（稜線２２等に対して略直交する方向）の長さに加え、物品配置領域１０４を確保できる程度の大きさとされている。物品配置領域１０４の幅（横方向の長さ）は、トレー１００の幅方向一方側に寄せて保持具１０をセットすることにより、物品配置領域１０４に配置する予定である皿や容器を収容できる程度の大きさとされている。また、トレー１００の幅（横方向の長さ）は、運搬具１の使用者として想定される者の肩幅を基準として規定される。具体的には、トレー１００の幅は、２５ｃｍ〜５０ｃｍの範囲であることが望ましく、３０ｃｍ〜４５ｃｍの範囲であることがより一層望ましく、３３ｃｍ〜４０ｃｍの範囲であることが最も好ましい。
【００７４】
トレー１００の高さ（深さ）は、保持具１０の高さ（第一側壁１４及び第二側壁１６の高さ）と同程度あるいはそれ以上の深さとされている。トレー１００の高さは、物品配置領域１０４に配置されると想定される物品の高さや、運搬具１の使用者がしっかりと把持できるよう、使用が想定される者の手の大きさ等を考慮して決定することが望ましい。トレー１００の高さは、２ｃｍ〜１０ｃｍの範囲であることが望ましく、３ｃｍ〜８ｃｍの範囲であることがより一層望ましい。
【００７５】
上述したように、本実施形態に係る保持具１０は、展開状態では平らなシート状であるため、大量に運搬、保管することが容易である。保持具１０の組み立てに当たっては、折り曲げて凸部４２を凹部４４に嵌め込むだけであるため、糊付けが不要であり、短時間で容易に組み立てることができる。
【００７６】
また、本実施形態の保持具１０では、板材１１として弾性を有する段ボールが用いられると共に、凸部４２が凹部４４よりも一回り大きく形成されている。これにより、凹部４４に対して凸部４２を嵌め込んだ後は、弾性変形した部分が復元しようとする力の影響を受け、凹部４４と凸部４２とがしっかり係合して連結された状態になる。従って、保持具１０は、凹部４４と凸部４２とを連結するという簡単な作業を行うだめでも、しっかりと組み立てられた状態になる。そのため、例えばお祭りやバーベキューなどの野外活動など様々な場面において手早く組み立て、手軽に使用することができる。
【００７７】
また、本実施形態の保持具１０は、組立状態において、第一底板１８の端部３０及び第二底板２０の端部３２を突き合わせた状態で連結される。すなわち、保持具１０を組み立てる際に、端部３０，３２のコバ面同士が突き合わせられた状態になる。これにより、第一底板１８及び第二底板２０を位置決め精度よく接合し、より強固に連結することができる。
【００７８】
また、本実施形態の保持具１０では、凸部４２が第一突出部４２ａ及び第二突出部４２ｂを有し、先端側にある第二突出部４２ｂの幅の方が基端側にある第一突出部４２ａの幅よりも幅が大きくなっている。これに対応して、凹部４４についても、第二突出部４２ｂが嵌め込まれる第一嵌込部４４ａの幅よりも、第二突出部４２ｂが嵌め込まれる第二嵌込部４４ｂの幅が大きくなっている。さらに、凸部４２及び凹部４４をＴ字型の形状とすることで、第一突出部４２ａと第二突出部４２ｂとの境界部及び、第一嵌込部４４ａと第二嵌込部４４ｂとの境界部に段状の部分が形成されている。そのため、凹部４４内において凸部４２が先端側から基端側に移動しようとしても、第二突出部４２ｂが凹部４４の第一嵌込部４４ａなどに引っかかり移動が抑制される。これにより、凹部４４に嵌め込んだ凸部４２が抜け落ち、第一底板１８と第二底板２０の連結が解除されてしまうのを抑制できる。従って、保持具１０は、凸部４２と凹部４４とを連結するだけで、組立状態をしっかりと維持することができる。
【００７９】
なお、本実施形態では、凸部４２をなす第一突出部４２ａ及び第二突出部４２ｂや、凹部４４をなす第一嵌込部４４ａ及び第二嵌込部４４ｂをいずれも矩形状の形状とした例を示したが、本発明はこれに限定されるものではない。例えば第一突出部４２ａ及び第一嵌込部４４ａを丸形の突出部や切り欠きにより形成するなどしても良い。また、第一突出部４２ａと第一嵌込部４４ａは必ずしも同一の形状である必要はなく、第二突出部４２ｂと第二嵌込部４４ｂとについても必ずしも同一の形状である必要はない。具体的には、第二突出部４２ｂを矩形状の突出部とする一方、第二嵌込部４４ｂを丸形や矩形以外の多角形などの形状の切り欠きとすることも可能である。
【００８０】
また、本実施形態では、凸部４２を第一突出部４２ａ及び第二突出部４２ｂのみで構成した例を示したが、本発明はこれに限定されるものではなく、他の部位を含むものであっても良い。同様に、本実施形態では、凹部４４を第一嵌込部４４ａ及び第二嵌込部４４ｂのみで構成した例を示したが、本発明はこれに限定されるものではなく、他の部位を含むものであっても良い。
【００８１】
本実施形態では、凸部４２を大別して第一突出部４２ａ及び第二突出部４２ｂの２つの部位により構成することで、第一底板１８の基端側よりも先端側において凸部４２の幅が大きくなるように形成されている。しかしながら、本発明はこれに限定されるものではなく、凸部４２を基端側を頂点として先端側に向けてテーパー状に拡幅する逆三角形や台形等のように連続的に拡幅するような形状のものとしても良い。このような形状とした場合についても、凹部４４を凸部４２に対応する形状に形成することにより、いったん凸部４２を凹部４４に嵌め込んで保持具を組み立てることで、凸部４２が先端側から基端側にスライドして凹部４４から抜けてしまうようなことが起こらず、保持具１０を組立状態のまましっかりと維持させることができる。
【００８２】
凸部４２及び凹部４４を本実施形態で示したようにＴ字状の形状のものとしたり、上述したように基端側を頂点として先端側に向けてテーパー状に拡幅する逆三角形や台形等の形状とする場合のように、凸部４２の基端側から先端側に向かう方向に対して交差する辺を有する形状のものとすれば、凸部４２が先端側から基端側にスライドして凹部４４から抜けてしまうようなことを抑制できる。そのため、凸部４２やこれに対応して設けられる凹部４４を、上述した形状に限らず、例えば平行四辺形状のものとするなどして、凸部４２の基端側から先端側に向かう方向に対して交差する辺を有する形状のものとすれば、凸部４２が先端側から基端側にスライドして凹部４４から抜けてしまうようなことを抑制できる。
【００８３】
なお、本実施形態では、第一底板１８側に凸部４２を設け、第二底板２０側に凹部４４を設けた構成を例示したが、本発明はこれに限定されるものではなく、第一底板１８側に凹部４４を設け、第二底板２０側に凸部４２を設けたものであっても良い。また、第一底板１８側に凸部４２及び凹部４４を設けると共に、第二底板２０において第一底板１８側の凸部４２に相当する部位に凹部４４を設け、第二底板２０において第一底板１８側の凹部４４に相当する部位に凸部４２を設けた構成としても良い。かかる構成とした場合についても、凸部４２及び凹部４４の組み合わせからなる連結構造部４５により、第一底板１８と第二底板２０とをしっかりと連結することができる。
【００８４】
上述したように、本実施形態の保持具１０は、凸部４２及び凹部４４の組み合わせによる連結構造部４５を第一底板１８及び第二底板２０の長手方向に複数形成可能とされている。そのため、保持具１０は、いったん組み立て状態とすると、しっかりと形状を維持することができる。なお、本実施形態では、連結構造部４５を長手方向に複数形成可能とした例を示したが、本発明はこれに限定されるものではなく、連結構造部４５を１箇所のみで形成可能なものであっても良い。
【００８５】
また、上述した本実施形態の保持具１０は、連結構造部４５が底面側に形成されるものである。そのため、トレー１００や袋などに保持具１０を設置して使用している状態において、連結構造部４５が露出するのを抑制できる。これにより、見栄えが良くなると共に、連結構造部４５に物や人の手等が触れることにより予期せぬ力が作用して保持具１０が崩れてしまうのを防止できる。なお、本実施形態では、連結構造部４５を保持具１０の底面側に形成可能とした例を示したが、本発明はこれに限定されるものではなく、例えば保持具１０の側面等に形成可能としても良い。
【００８６】
上述したように、保持具１０は、組立状態において差込孔３４の直下において第一底板１８及び第二底板２０が連結される構成とされている。そのため、差込孔３４にカップ６０などの物品を差し込んで使用している状態において、カップ６０等による荷重を第一底板１８及び第二底板２０の連結部位に作用させることができる。これにより、保持具１０が組立状態の形状をより一層確実に維持可能とすることができる。なお、本実施形態では、差込孔３４の直下に第一底板１８及び第二底板２０の連結部位が到来するようにした例を示したが、本発明はこれに限定されるものではなく、前記連結部位が差込孔３４の直下を離れた位置に設けられるものであっても良い。
【００８７】
上述したように、保持具１０は、天板１２と第一側壁１４及び第二側壁１６により形成される稜線２２，２４の部分に切り欠き４６を形成し、箸やスプーン、フォーク等のカラトリー類（食器）の端部をのせるために活用できる。そのため、保持具１０はカップ６０などを保持するだけでなく、カラトリー類の保持にも利用できる。これにより、使用者は、例えばお祭りやバーベキューをはじめとする野外活動など様々な場面において、箸などのカラトリー類を衛生的に使用することができる。切り欠き４６を稜線２２側及び稜線２４側の両方に設けている。そのため、図１に示すように手前側から見てトレー１００の左側に保持具１０をセットした場合だけでなく、右側に保持具１０をセットした場合のいずれの場合であっても、保持具１０をカラトリー類の保持に活用できる。なお、本実施形態では、稜線２２側及び稜線２４側の双方にに切り欠き４６を設けた例を示したが、本発明はこれに限定されるものではなく、いずれか一方にのみ設けても良い。
【００８８】
また、図１等に示す例においては、カップ６０や容器６４、箸などのカラトリー類を２セット分持ち運べるように、差込孔３４や切り欠き４６を２セット分ずつ設け、物品収容部１０２に容器等の物品を２つ配置できるようにした例を示したが、本発明はこれに限定されるものではない。具体的には、保持具１０についてカップ６０を一つ、あるいは３つ以上保持可能なものとしたり、箸などのカラトリー類を１セット分だけ、あるいは３セット分以上配置できるように切り欠き部４６の数量を調整しても良い。
【００８９】
また、本実施形態では、カラトリー類をのせるための切り欠き４６を設けた例を示したが、本発明はこれに限定されるものではなく、切り欠き４６に代えて、あるいは切り欠き４６に加えて中空部２５側に窪んだ窪みを設けるなどしても良い。また、保持具１０は、図５に示すようにカラトリーレスト４８を形成できるものとしても良い。
【００９０】
具体的には、図５に示す例は、稜線２２，２４が設けられた位置から、天板１２の内側方向にカラトリーレスト４８を形成するための切り込みを設け、この切り込みを上方に起こすことにより、カラトリーレスト４８を形成したものである。このカラトリーレスト４８は、保持具１０の別の部材として設けられたものではなく、保持具１０の一部として設けられたものである。そのため、カラトリーレスト４８は、展開状態の保持具１０を製造する際に、差込孔３４の羽根部４０を設けるのと同時に切り込みを設けておき、使用時に切り起こすだけで使用できる。そのため、カラトリーレスト４８は、保持具１０の製造コストを大幅に増加させることなく形成できる。また、展開状態の保持具１０を組み立てる際に稜線２２および稜線２４で天板１２に対して第一側壁１４及び第二側壁１６を折り曲げれば、切り込みが形成された部分が自ずと切り起こされた状態になり、カラトリーレスト４８として使用可能な状態となる。そのため、組み立て時に余計な工程を増加させることもない。なお、保持具１０の組み立て作業時に第一側壁１４及び第二側壁１６を折り曲げれ作業を行うことでカラトリーレスト４８がスムーズに形成されるようにするためには、カラトリーレスト４８が形成される位置において稜線２２および稜線２４に折り目を設けないことが好ましい。この部分に折り目を設けないことにより、保持具１０を組み立てる際に、カラトリーレスト４８がより上方に起き上がりやすくなるからである。
【００９１】
上述したように、保持具１０やトレー１００を段ボールによって形成されている。保持具１０の板材１１として段ボールを用いることにより、段ボールの弾性を利用して凸部４２と凹部４４とをしっかりと連結することができる。また、保持具１０やトレー１００を段ボール製とすることにより、使用する現場に折り曲げ加工前の平板状の状態で搬入し、現場において折り曲げ加工したり、凸部４２を凹部４４に嵌め込んだりする作業を行うだけで使用できる。そのため、例えばお祭りやバーベキューをはじめるとする野外活動などの場面において、保持具１０やトレー１００を好適に利用できる。また、段ボールは、軽量であるなど様々なメリットを有する。そのため、保持具１０やトレー１００は、例えばお祭りやバーベキューなどを行う場所への搬入に要する労力を軽減できると共に、飲食物等を持ち運ぶために使用者にかかる負荷を最小限に抑制できる。さらに、段ボールを用いることにより、保持具１０やトレー１００の表面への印刷や装飾が容易にでき、使用者自身が絵や文字などを簡単に書き込むことも可能となる。また、段ボールを用いて保持具１０やトレー１００を形成することにより、使用者は使い捨ての用具として気軽かつ衛生的に使用したり、リサイクルにより資源の有効利用に貢献したりすることが可能となる。
【００９２】
また、上述した運搬具１は、上述した保持具１０をトレー１００に嵌め込んで使用するものであるため、例えばお祭りやバーベキューなどの野外活動など様々な場面において手早く組み立てて使用することができる。また、運搬具１は、保持具１０を嵌め込むことで、例えばお祭りにおいて販売されているパック詰めの食品や、バーベキューにおいて使用する取り皿などを飲料を入れたカップ６０やボトル、缶などと一緒に持ち運べる。従って、運搬具１は、例えばお祭りやバーベキューをはじめとする野外活動などを楽しむために欠かせないものとして利用できる。
【００９３】
また、本実施形態の運搬具１では、トレー１００の幅が、想定される使用者の肩幅を基準として規定されている。そのため、お祭りのように人混みの中を飲料や食べ物を持ち運ぶ場合であっても、他人とぶつかるのを抑制できる。これにより、安定した状態で物品を運搬することができる。なお、本実施形態では、トレー１００の幅を使用者の肩幅を基準として規定した例を示したが、本発明はこれに限定されるものではなく、適宜の大きさとすることが可能である。
【００９４】
本発明は上述した実施形態において例示したものに限定されるものではなく、特許請求の範囲を逸脱しない範囲でその教示および精神から他の実施形態があり得ることは当業者に容易に理解できよう。
【産業上の利用可能性】
【００９５】
本発明は、カップ等の保持具や、運搬具として好適に利用可能である。
【符号の説明】
【００９６】
１    運搬具
１０    保持具
１１    板材
１２    天板
１４    第一側壁（側面）
１６    第二側壁（側面）
１８    第一底板（第一連結部）
２０    第二底板（第一連結部）
２２    稜線
２４    稜線
２５    中空部
３０    端部
３２    端部
３４    差込孔
４２    凸部（突出部）
４２ａ  第一突出部
４２ｂ  第二突出部
４４    凹部（嵌込部）
４４ａ  第一嵌込部
４４ｂ  第二嵌込部
４５    連結構造部
４６    切り欠き
４８    カラトリーレスト
１００    トレー
１０２    物品収容部
１０４    物品配置領域
【図１】
2018016359.tif 000003
【図２】
2018016359.tif 000004
【図３】
2018016359.tif 000005
【図４】
2018016359.tif 000006
【図５】
2018016359.tif 000007